(57)【特許請求の範囲】
【請求項１】
走行面に配置される帯状の底板、当該底板の一方の側辺に沿って伸びる第１の側板、および前記底板の他方の側辺に沿って伸びる第２の側板を備え、配管類を収容する収容室を区画する基部と、
前記第１の側板の上端から前記走行面に向けて下向きに傾斜して前記基部に設けられる第１の傾斜板と、
前記第２の側板の上端から前記走行面に向けて下向きに傾斜して前記基部に設けられる第２の傾斜板と、
前記第１の傾斜板と前記第２の傾斜板の間に配置されて前記収容室を閉じる位置と、前記収容室を開放する位置との間を回動自在の開閉板と、
前記傾斜板と前記基部との間に設けられたリブに基端部が回動自在に設けられたアームと、を有し、
前記アームの先端部に前記開閉板を取り付け、前記開閉板を前記アームによりリブに回動自在に支持する、配管類保護カバー。
【請求項２】
請求項１記載の配管類保護カバーにおいて、前記開閉板が閉じられたときに前記開閉板の一方側部を支持する第１の支持板を前記第１の側板に設け、前記開閉板の他方側部を支持する第２の支持板を前記第２の側板に設けた、配管類保護カバー。
【発明の詳細な説明】
【技術分野】
【０００１】
本発明は、屋内外の床面等に仮設される電線ケーブル等の配管類を保護するために使用される配管類保護カバーに関する。
【背景技術】
【０００２】
建築物の建設工事現場においては、建築物の床面や建築物周囲の路面等の走行面に電線ケーブルなどの電線管や液体等の流体を案内するホース等の流体案内管が仮設される。建設工事現場の走行面には、建設資材運搬用の台車が走行したり、作業者が建設資材を手に持って歩行したりする。このため、走行面に仮設される電線ケーブル等の配管類を保護し、台車や作業者が走行面を安全に走行できるように、配管類は保護カバーにより覆うようにして走行面に仮設される。
【０００３】
仮設用の保護カバーには、特許文献１に記載されるように、両側縁部に粘着層が設けられた長尺のテープを用いて床面に仮設される電線類を覆うようにしたものがある。さらに、特許文献１の図６には、電線類を収納する下カバー体と、下カバー体に嵌め込まれる上カバー体とを有し、内部に断面四角形の収納部を形成するようにした保護カバーが記載されており、下カバー体は粘着テープにより走行面に貼り付けられる。
【先行技術文献】
【特許文献】
【０００４】
【特許文献１】特開２００３−１２５５１２号公報
【発明の概要】
【発明が解決しようとする課題】
【０００５】
特許文献１に記載されるように、走行面に仮設される電線類を長尺テープにより覆って走行面に固定する場合には、作業者が電線類を踏みつけても電線類は直接踏みつけられることなく、テープにより保護することができる。しかしながら、建設資材を運搬する台車が電線類を乗り上げると、長尺テープにより電線類を覆っただけでは、電線類の損傷が避けられない。
【０００６】
一方、上下のカバー体により断面四角形の収納部を形成し、収納部内に電線類を収納するようにした保護カバーは、粘着テープを用いて走行面に貼り付けなければならず、保護カバーの敷設作業が面倒である。また、横断面が四角形の保護カバーを走行面に敷設すると、作業者が保護カバーにつまずいたり、台車を円滑に保護カバーに乗り上げさせたりすることができず、作業者は走行面を円滑に走行することができない。
【０００７】
本発明の目的は、走行面に容易に敷設することができ、仮設される電線ケーブル等の配管類を確実に保護することができる配管類保護カバーを提供することにある。
【課題を解決するための手段】
【０００８】
本発明の配管類保護カバーは、走行面に配置される帯状の底板、当該底板の一方の側辺に沿って伸びる第１の側板、および前記底板の他方の側辺に沿って伸びる第２の側板を備え、配管類を収容する収容室を区画する基部と、前記第１の側板の上端から前記走行面に向けて下向きに傾斜して前記基部に設けられる第１の傾斜板と、前記第２の側板の上端から前記走行面に向けて下向きに傾斜して前記基部に設けられる第２の傾斜板と、前記第１の傾斜板と前記第２の傾斜板の間に配置されて前記収容室を閉じる位置と、前記収容室を開放する位置との間を回動自在の開閉板と、前記傾斜板と前記基部との間に設けられたリブに基端部が回動自在に設けられたアームと、を有し、前記アームの先端部に前記開閉板を取り付け、前記開閉板を前記アームによりリブに回動自在に支持する。
【発明の効果】
【０００９】
建築物の工事現場において、電線ケーブル等の配管類が仮設される走行面に配管類保護カバーを配置し、開閉板を開放位置に回動させると、基部の収容室に電線ケーブル等を容易に敷設することができる。電線ケーブル等は開閉板により覆われるので、開閉板の上に作業者や台車が乗り上げても、これらの外力が電線ケーブル等に加わることなく、電線ケーブル等を確実に保護することができる。基部の両側には傾斜板が設けられているので、作業者は傾斜板を介して基部に乗り上げることができる。これにより、作業者が台車を操作して基部を横切るときには、傾斜板を介して容易に横切らせることができる。
【図面の簡単な説明】
【００１０】
【図１】一実施の形態である配管類保護カバーを示す斜視図である。
【図２】図１に示した配管類保護カバーの開閉板を開いた状態を示す斜視図である。
【図３】図１の横断面図である。
【図４】図２の横断面図である。
【図５】配管類保護カバーを台車が横切る状態を示す側面図である。
【図６】他の実施の形態である配管類保護カバーを示す横断面図である。
【図７】図６に示した配管類保護カバーの開閉板を開いた状態を示す横断面図である。
【発明を実施するための形態】
【００１１】
以下、本発明の実施の形態を図面に基づいて詳細に説明する。配管類保護カバー１０は、建築物の建設工事現場における建築物の床面や建築物周囲の路面等の走行面Ｓに配置されて使用される。配管類保護カバー１０は基部１１を有し、基部１１は走行面に配置される帯状の底板１２と、底板１２の一方の側辺に沿って伸びて底板１２に一体となった第１の側板１３と、底板１２の他方の側辺に沿って伸びて底板１２に一体となった第２の側板１４とを備えている。基部１１は、底板１２と両方の側板１３，１４により上面が開口された断面Ｕ字形状となっており、内部には収容室１５が区画される。底板１２，側板１３、１４はそれぞれ鋼板により形成されている。
【００１２】
基部１１には、第１と第２の２つの傾斜板１６，１７が設けられる。第１の傾斜板１６は、その基端部が第１の側板１３に接続されており、側板１３の上端から走行面Ｓに向けて下向きに傾斜している。第２の傾斜板１７は、その基端部が第２の側板１４に接続されており、側板１４の上端から走行面Ｓに向けて下向きに傾斜している。それぞれの傾斜板１６，１７は、鋼板により形成されており、傾斜方向の寸法はほぼ同一となっている。底板１２が走行面Ｓに接触するように配管類保護カバー１０を走行面Ｓの上に配置すると、それぞれの傾斜板１６，１７の先端が走行面Ｓに接触する。このように、配管類保護カバー１０を走行面Ｓの上に配置すると、それぞれの傾斜板１６，１７の先端は、底板１２の底面に延長上に位置する。
【００１３】
配管類保護カバー１０は開閉板２１を有する。開閉板２１は、図１および図３に示されるように、両方の傾斜板１６，１７の間に配置されて収容室１５を閉じる閉塞位置と、図２および図４に示されるように、収容室１５を開放する開放位置との間を回動自在となっている。開閉板２１を開放位置に回動させると、図４において矢印で示すように、収容室１５内に配管類Ｐとしての電線ケーブルを収容したり、収容された電線ケーブルを収容室１５から取り出したりすることができる。
【００１４】
一方、開閉板２１を閉塞位置に設定すると、図１および図３に示されるように、収容室１５内に収容された電線ケーブルは開閉板２１により覆われる。これにより、配管類保護カバー１０の上を作業者が歩行したり、図５に示されるように、台車Ｖが走行したりしても、配管類Ｐとしての電線ケーブルには外力が加わらず、確実に電線ケーブルを保護することができる。しかも、基部１１の両側には傾斜板１６，１７が設けられているので、基部１１は傾斜板１６，１７と開閉板２１とにより覆われるので、なだらかに傾斜した傾斜板１６，１７により、作業者や台車Ｖは横断面形状が四角形の基部１１を容易に横切ることができる。傾斜板１６，１７と開閉板２１の表面には、配管類保護カバー１０の上を歩行する作業者が滑らないようにするために、多数の突起部が設けられている。
【００１５】
配管類保護カバー１０が走行面Ｓに配置された状態のもとで、側板１３と傾斜板１６と走行面Ｓとにより区画されるスペースには三角形のリブ２２が設けられ、側板１４と傾斜板１７と走行面Ｓとにより区画されるスペースには三角形のリブ２３が設けられている。リブ２２は側板１３の外面と傾斜板１６の下面とに溶接され、リブ２３は側板１４の外面と傾斜板１７の下面とに溶接されている。それぞれのリブ２２，２３は、基部１１の両端部に設けられている。ただし、それぞれのリブ２２，２３を基部１１の両端部に加えて、中間位置にも設けるようにしても良い。
【００１６】
図２における基部１１の右端部に設けられたリブ２２には、アーム２４の基端部が回動自在に設けられ、アーム２４の先端部は開閉板２１に取り付けられている。破線で示されるように図２における左端部に設けられたリブ２２には、同様のアーム２４の基端部が回動自在に設けられ、アーム２４の先端部は開閉板２１に取り付けられている。アーム２４は、図４において角度θの範囲において回動自在となっており、開閉板２１は両方のアーム２４によりリブ２２に回動自在に支持される。
【００１７】
図２に示されるように、第１の側板１３の内面には４つの第１の支持板２６が第２の側板１４に向けて突出しており、第２の側板１４の内面には４つの第２の支持板２７が第１の側板１３に向けて突出している。開閉板２１が閉じられたときに、それぞれの支持板２６は開閉板２１の一方側部を支持し、それぞれの支持板２７は開閉板２１の他方側部を支持する。このように、閉じられた状態の開閉板２１は両側部が支持板２６，２７により支持されるので、開閉板２１の上を作業者や台車Ｖが走行しても、開閉板２１が変形することが防止される。両方の支持板２６，２７の間には隙間２８が設けられており、収容室１５内に電線ケーブルを挿入したり、挿入された電線ケーブルを収容室１５内から取り出したりするときには、隙間２８に電線ケーブルを通過させることができる。それぞれの支持板２６，２７の数は、４つに限られることなく、任意の数とすることができる。
【００１８】
配管類保護カバー１０は走行面Ｓに配置することにより自重により走行面Ｓの上をずれることがないので、粘着テープなどにより配管類保護カバー１０を走行面Ｓに固定することが不要となる。これにより、走行面に配管類保護カバー１０を容易に敷設することができる。電線ケーブルは開閉板２１により覆われた状態で収容室１５内に収容されるので、開閉板２１の上に作業者や台車が乗り上げても、これらの外力により電線ケーブルが損傷することなく、電線ケーブルを確実に保護することができる。さらに、基部１１の両側には傾斜板１６，１７が設けられているので、作業者は傾斜板１６，１７を介して基部１１を乗り上げることができる。これにより、作業者が台車を操作して基部１１を横切るときには、傾斜板１６，１７を介して容易に横切らせることができる。
【００１９】
図６および図７は他の実施の形態である配管類保護カバーを示す横断面図であり、図６は開閉板が閉じた状態を示し、図７は開閉板が開いた状態を示す。
【００２０】
上述した配管類保護カバー１０が１つの開閉板２１を備えているのに対し、図６および図７に示す配管類保護カバー１０ａは、２つの開閉板２１ａ，２１ｂを備えており、他の構造は上述した配管類保護カバー１０とほぼ同様である。第１の開閉板２１ａはアーム２４ａによりリブ２２に回動自在に装着され、第２の開閉板２１ｂはアーム２４ｂによりリブ２３に回動自在に装着されている。それぞれの開閉板２１ａ，２１ｂの先端部には、ストッパ３１ａ，３１ｂが設けられており、図６に示されるように、それぞれの開閉板２１ａ，２１ｂを閉塞位置に回動させると、ストッパ３１ａ，３１ｂが底板１２に突き当てられる。この形態の配管類保護カバー１０ａにおいては、それぞれの側板１３，１４には、上述した支持板２６，２７を設けることなく、開閉板２１ａ，２１ｂを閉じた状態にストッパ３１ａ，３１ｂにより保持することができる。このように、開閉板を２枚とした形態においても、開閉板を１枚とした形態と同様の効果を得ることができる。
【００２１】
１つの開閉板２１を備えた配管類保護カバー１０においても、開閉板２１の先端部や中間部に同様のストッパを設けるようにしても良い。
【００２２】
本発明は前記実施の形態に限定されるものではなく、その要旨を逸脱しない範囲で種々変更可能である。上述した配管類保護カバー１０，１０ａは、電線ケーブルを保護するために使用されているが、流体を案内するホース等の保護にもこの配管類保護カバーを適用することができる。
【符号の説明】
【００２３】
１０，１０ａ    配管類保護カバー
１１    基部
１２    底板
１３，１４    側板
１５    収容室
１６，１７    傾斜板
２１，２１ａ，２１ｂ    開閉板
２２，２３    リブ
２４，２４ａ，２４ｂ    アーム
２６，２７    支持板
２８    隙間
３１ａ，３１ｂ    ストッパ
Ｐ    配管類
Ｓ    走行面
【図１】
0006514056.tif 000002
【図２】
0006514056.tif 000003
【図３】
0006514056.tif 000004
【図４】
0006514056.tif 000005
【図５】
0006514056.tif 000006
【図６】
0006514056.tif 000007
【図７】
0006514056.tif 000008